(57)【特許請求の範囲】
【請求項１】
目盛入り魚載置台と、前記目盛入り魚載置台に設けられた口当て板と、前記目盛入り魚載置台に載置された魚の口に当接させて魚の口を閉じさせる口閉じ具とを備え、前記口当て板の内側に前記口閉じ具を設けたことを特徴する魚体体長測定装置。
【請求項２】
前記目盛入り魚載置台は複数枚に分割された板材で構成されるとともに、夫々の分割された板材の接合面がヒンジを介して連結され、前記口閉じ具は、目盛入り魚載置台に起倒自在に取り付けられた口当て板の内側に設けられており、前記口当て板は、口当て板を倒した状態で前記目盛入り魚載置台が拡がるのを阻止する阻止手段となっている請求項1記載の魚体体長測定装置。
【請求項３】
前記口閉じ具は変形させることが可能で有り、両端部を外側に折り返した真鍮でできている請求項1又は請求項２のいずれか一項に記載の魚体体長測定装置。
【発明の詳細な説明】
【技術分野】
【０００１】
この発明は、例えば、魚釣り大会等において、釣り上げた魚の全長を計測する際に用いる魚体体長測定装置に関するものである。          
【背景技術】
【０００２】
魚釣り大会においては、釣り上げた魚の全長で釣果の報告をすることが一般的に行われており、大きさで順位が決定されている。
【０００３】
従来から、魚の全長を計測する際に用いる魚体体長測定装置は種々提案されている（例えば、特許文献１参照）。
特許文献１に示す魚体計測メジャーは、魚の口に当接する基準壁が設けられ、尾ひれの先端までを魚体体長として測定するようにしているが、魚は口を開けていたり閉じていたり又はパクパクと動かしており、魚が口を開けた状態で魚体の体長を測定すると、魚が口を閉じた状態で魚体の体長を測定した場合に比し、長く測定されてしまい、同じ全長の魚であっても、魚の口の状態により魚の全長の計測に誤差が生じるという問題点があった。
【０００４】
また、魚の全長差が僅差の場合、測定方法で生じる誤差が原因で釣り人同士での口論等のトラブルが発生するという問題点があった。
【先行技術文献】
【特許文献】
【０００５】
【特許文献１】特開２０１２−２２０４１４号公報
【発明の概要】
【発明が解決しようとする課題】
【０００６】
本発明は、上記従来の課題を解決するもので、魚の全長差が僅差の場合であっても、測定に誤差が生じることがない魚体体長測定装置を提供するものである。
【課題を解決するための手段】
【０００７】
上記課題を解決するため、本発明の魚体体長測定装置は、目盛入り魚載置台と、前記目盛入り魚載置台に載置された魚の口に当接させて魚の口を閉じさせる口閉じ具とを備えたことを特徴する。
【発明の効果】
【０００８】
上記課題を解決するため、本発明の魚体体長測定装置は、目盛入り魚載置台と、前記目盛入り魚載置台に設けられた口当て板と、前記目盛入り魚載置台に載置された魚の口に当接させて魚の口を閉じさせる口閉じ具とを備え、前記口当て板の内側に前記口閉じ具を設けたことを特徴する。
【０００９】
本発明の魚体体長測定装置は、目盛入り魚載置台と、前記目盛入り魚載置台に設けられた口当て板と、前記目盛入り魚載置台に載置された魚の口に当接させて魚の口を閉じさせる口閉じ具とを備え、前記口当て板の内側に前記口閉じ具を設けたことを特徴するものであるから、魚の口を閉じた状態で魚体の体長を測定することができ、釣り人個人の測定方法で生じる誤差を少なく出来、公平な優劣をつける事が可能となるという効果がある。
【図面の簡単な説明】
【００１０】
【図１】図１は、本発明の一実施形態を示す図であり斜視図である。
【図２】図２は、本発明の一実施形態を示す側面図である。
【図３】図３は、本発明の一実施形態の折り畳み収納した際を示す側面図である。
【図４】図４は、本発明の一実施形態の魚体全長測定時を示す使用状態図である。
【図５】図５は、本発明の一実施形態を示す口当て板斜視図であり拡大図である。
【図６】図６は、本発明の一実施形態を示す右側面図である。
【発明を実施するための形態】
【００１１】
この発明の一実施形態を、図１〜図６に示す。魚体体長測定装置１は、目盛入り魚載置台２と、目盛入り魚載置台２の一端に設けられた口当て板３と、口当て板３の内側の面に魚の口に当接させて魚の口を閉じさせる口閉じ具４とにより構成されている。目盛入り魚載置台２は、３分割されており、第１の目盛入り魚載置台２ａ、第２の目盛入り魚載置台２ｂ、第３の目盛入り魚載置台２ｃとが第１の目盛入り魚載置台２ａ、第２の目盛入り魚載置台２ｂ、第３の目盛入り魚載置台２ｃの長手方向にそれぞれヒンジ５にて折り畳み自在に連結されているとともに、第１の目盛入り魚載置台２ａ、第２の目盛入り魚載置台２ｂ、第３の目盛入り魚載置台２ｃがヒンジ５により波打たないように構成されている。目盛入り魚載置台２は、アルミニウム製でできている。目盛入り魚載置台２は、３分割されているが、それに特定されるものでも無く、１枚の分割されていないものでも構わないとともに、２分割、４分割のように複数枚に分割されていても構わないものである。第１の目盛入り魚載置台２ａ、第２の目盛入り魚載置台２ｂ、第３の目盛入り魚載置台２ｃには長さを示す目盛の印刷されたステッカー６が貼り付けてあり、魚体全長測定時に全長を示す役割をするが、第１の目盛入り魚載置台２ａ、第２の目盛入り魚載置台２ｂ、第３の目盛入り魚載置台２ｃに直接長さを示す目盛が印刷などにより表示されていても構わないものであり、目盛入り魚載置台２が、クーラーボックスの蓋の上面のように釣り道具の一部であって、その蓋の上面に目盛が印刷などにより表示されていても構わないものである。このように、目盛入り魚載置台２は、板状でなくても構わないものである。
また、実施例は、口当て板３の内側の面に魚の口に当接させて魚の口を閉じさせる口閉じ具４を設けたが、目盛入り魚載置台２に直接取り付けたものであっても構わないものである。   
【００１２】
口当て板３は、口当て板３の両端に突片７が形成されており、第１の目盛入り魚載置台２ａに対し、９０度の角度で起立するとともに、倒れるように蝶ネジ８を介して回動自在に第１の目盛入り魚載置台２ａの短手方向の両端に設けた立壁９に取り付けられており、口当て板３を倒した状態で第１の目盛入り魚載置台２ａの上方に位置させることにより、第１の目盛入り魚載置台２ａ、第２の目盛入り魚載置台２ｂ、第３の目盛入り魚載置台２ｃが拡がるのを阻止する阻止手段となっている。口当て板３は、アルミニウム製でできている。
【００１３】
口閉じ具４は、魚の全長を測定する時に魚の口を強制的に閉じる役割をはたす物であり、０．５ミリメートルの板厚の真鍮板で形成されており、断面形状Ｕ字状に折り曲げて形成されており、開口部の幅を約２センチメートル、口当て板３への取り付け部の幅を１．６センチメートルにしている。０．５ミリメートルの板厚の真鍮板で形成したものは、変形させることができ、魚の大きさに合わせて幅を可変とすることができ、魚の大きさに合わせて幅を調整することが可能となる。口閉じ具４の端部は外側に折り曲げられて二重になっており、魚体の口が口閉じ具４により傷つけられるのを防止している。尚、材質、板厚は、ある程度塑性変形が可能であるのなら、他の材質の金属板やプラスチックであっても構わないものである。口閉じ具４の大きさは、測定する魚体の大きさにより適宜設定すれば良いものであり、大きさの異なるものを複数個用意しておくと、塑性変形しない材質のものを用いても構わないものである。口閉じ具４は、口当て板３に形成した２本の縦溝10に着脱自在に取り付けられている。閉じ具４は、口当て板３に形成した２本の縦溝10に着脱自在に取り付けるようにしたが、口閉じ具４の魚の口が当接する位置に取り付け具が突出しなければ他の方法であっても構わないものである。
【００１４】
次に、本発明の魚体体長測定装置１の使用方法を説明すると、図４に示すようにして、魚の全長を測定する。魚体の全長測定時、第１の目盛入り魚載置台２ａと口当て板３とを蝶ネジ８を基点に直角に立てる事が出来、魚の全長を測定する際、口当て板３との当接面における魚体の口を当てる口閉じ具４の内面が測定基準となる。口閉じ具４が断面形状Ｕ字状に形成されているので、魚の口の目側の位置が口閉じ具４の開口部に最初に当接して魚の口を閉じさせるのであり、口閉じ具４により魚の口を閉じた時、物理的に口を閉じた状態を維持すると魚が口を開こうとせず閉じたままになると言う習性を利用したものであり、全長測定及び全長の測定撮影をスムーズに行う事が出来、証拠写真とすることも簡単にできる。
【００１５】
この実施形態によれば、図３のように、折り畳んだ場合、携帯性を大幅に向上させることができる。
【符号の説明】
【００１６】
１  魚体体長測定装置
２  目盛入り魚載置台
３  口当て板
４  口閉じ具
【要約】      （修正有）【課題】魚の全長差が僅差の場合であっても、測定に誤差が生じることがない魚体体長測定装置を提供する。【解決手段】魚体体長測定板は、目盛入り魚載置台２と、前記目盛入り魚載置台の一端に設けられた口当て板３と、前記口当て板３の内側の面に魚の口に当接させて魚の口を閉じさせる口閉じ具４とにより構成される。【選択図】図１【図１】
0005565715.tif 000002
【図２】
0005565715.tif 000003
【図３】
0005565715.tif 000004
【図４】
0005565715.tif 000005
【図５】
0005565715.tif 000006
【図６】
0005565715.tif 000007